(57)【要約】【課題】  容易に色温度を調整することができる照明具を提供する。【解決手段】  発光ダイオードから成る複数個の光源１と、各々の光源１を包囲する複数個の集光レンズ３を、一枚の基盤４に固着する。基盤４を照明具本体５に取付ける。さらに、照明具本体５に開閉自在として透明キャップ６を取付ける。集光レンズ３の先端９と、キャップ６の内面６ａとの間に、色温度調整用フィルター２を挾持状に介在させる。【選択図】  図１
2005268172.tif 000002
【特許請求の範囲】
【請求項１】
光源（１）が発光ダイオードから成る照明具であって、色温度調整用フィルター（２）を具備することを特徴とする照明具。
【請求項２】
色温度調整用フィルター（２）が、フィルム状乃至平板状である請求項１記載の照明具。
【請求項３】
発光ダイオードから成る複数個の光源（１）と、各々の該光源（１）を包囲する複数個の集光レンズ（３）を、一枚の基盤（４）に固着すると共に、該基盤（４）を照明具本体（５）に取付け、さらに、該照明具本体（５）に開閉自在として透明キャップ（６）を取付け、上記集光レンズ（３）の先端（９）と、該キャップ（６）の内面（６ａ）との間に、色温度調整用フィルター（２）を挾持状に介在させたことを特徴とする照明具。
【請求項４】
発光ダイオードから成る３個以上の光源（１）と、各々の該光源（１）を包囲する３個以上の略椀型集光レンズ（３）を、一枚の基盤（４）に固着すると共に、該基盤（４）を照明具本体（５）に取付け、さらに、該照明具本体（５）に開閉自在として透明キャップ（６）を取付けた照明具であって、
上記照明具本体（５）とキャップ（６）を閉じた状態に於て、該照明具本体（５）とキャップ（６）の外形形状が円柱（Ｍ）状であって、該円柱（Ｍ）の軸心（Ｙ）方向から見て、円周（Ｑ）上に等分配に上記光源（１）を配設し、上記集光レンズ（３）の先端縁（10）と、上記キャップ（６）の内面（６ａ）との間に、色温度調整用フィルター（２）を挾持状に介在させたことを特徴とする照明具。
【請求項５】
照明具本体（５）とキャップ（６）を閉じた状態に於て、該照明具本体（５）と該キャップ（６）の外形形状が、直径（Ｄ）、高さ（Ｈ）の円柱（Ｍ）状であって、該直径（Ｄ）及び高さ（Ｈ）を、（Ｄ× 0.3）≦Ｈ≦（Ｄ× 0.6）となるように設定した請求項４記載の照明具。
【発明の詳細な説明】
【技術分野】
【０００１】
本発明は、照明具に関する。
【背景技術】
【０００２】
従来の照明具は、光源がフィラメントから成るものが公知である（例えば、特許文献１参照）。
【０００３】
しかし、発熱量が多いので、フィルターを設ける場合、フィライメントから所定距離以上離間させる必要があり、製造に手間がかかるという欠点があった。
【特許文献１】特開２００３−１７００７号公報
【発明の開示】
【発明が解決しようとする課題】
【０００４】
解決しようとする課題は、色温度調整のために、フィルターを容易に付設できない点である。
【課題を解決するための手段】
【０００５】
そこで、本発明に係る照明具は、光源が発光ダイオードから成る照明具であって、色温度調整用フィルターを具備するものである。
また、色温度調整用フィルターが、フィルム状乃至平板状である。
また、発光ダイオードから成る複数個の光源と、各々の該光源を包囲する複数個の集光レンズを、一枚の基盤に固着すると共に、該基盤を照明具本体に取付け、さらに、該照明具本体に開閉自在として透明キャップを取付け、上記集光レンズの先端と、該キャップの内面との間に、色温度調整用フィルターを挾持状に介在させたものである。
また、発光ダイオードから成る３個以上の光源と、各々の該光源を包囲する３個以上の略椀型集光レンズを、一枚の基盤に固着すると共に、該基盤を照明具本体に取付け、さらに、該照明具本体に開閉自在として透明キャップを取付けた照明具であって、上記照明具本体とキャップを閉じた状態に於て、該照明具本体とキャップの外形形状が円柱状であって、該円柱の軸心方向から見て、円周上に等分配に上記光源を配設し、上記集光レンズの先端縁と、上記キャップの内面との間に、色温度調整用フィルターを挾持状に介在させたものである。
また、照明具本体とキャップを閉じた状態に於て、該照明具本体と該キャップの外形形状が、直径Ｄ、高さＨの円柱状であって、該直径Ｄ及び高さＨを、（Ｄ× 0.3）≦Ｈ≦（Ｄ× 0.6）となるように設定したものである。
【発明の効果】
【０００６】
本発明の照明具によれば、紫外線が発生せず、熱の発生も極めて低く、寿命も長く（耐久性に優れ）、メンテナンス期間が延長でき、容易に色温度調整が可能である。
【発明を実施するための最良の形態】
【０００７】
図１は、本発明の第１の実施の形態の使用状態を示す。すなわち、この照明具Ｌは、取付具Ｔを介して、天井Ｃに固着されている。照明具Ｌは、光源１が発光ダイオード（ＬＥＤ）から成る照明具であって、通電により点灯する。
【０００８】
照明具Ｌは、平板状のポリアクリル樹脂から成る色温度調整用フィルター２を具備する。色温度調整用フィルター２は、例えば、透光性の赤色やオレンジ色あるいは青色等に着色されている。本発明に於て、「色温度調整用フィルター」は、フロスト状態（つや消し状態）のまぶしさ防止用フィルターを含むものとする。
【０００９】
図２〜図４に示すように、３個の光源１と、各々の光源１を包囲する３個の略椀型集光レンズ３が、一枚のアルミニウム製基盤４に固着されている。集光レンズ３は、例えばアクリルから成る。基盤４はアルミニウム製照明具本体５に取付けられている。アルミニウムは、熱伝導性が良いので、基盤４に熱が発生しても速やかに放熱することができる。照明具本体５に開閉自在（着脱自在）として樹脂製（例えば、アクリル製）透明キャップ６が取付けられている。
【００１０】
照明具本体５とキャップ６を閉じた状態に於て、照明具本体５とキャップ６の外形形状が、直径Ｄ、高さＨの円柱Ｍ状であって、直径Ｄ及び高さＨは、（Ｄ× 0.3）≦Ｈ≦（Ｄ× 0.6）となるように設定されている。Ｈ＜（Ｄ× 0.3）のときは、全体形状が薄板状となるので、集光レンズ３と、キャップ６の凸レンズとしての正面壁部17等の設計が困難となる。また、（Ｄ× 0.6）＜Ｈのときは、使用箇所にコンパクトに設置することができるメリットが急になくなり、また、集光レンズ３の先端９とキャップ６の内面６ａとの隙間が広くなって、フィルター２を確実に保持することができない。
【００１１】
円柱Ｍの軸心Ｙ方向から見て、円周Ｑ上に等分配に上記３個以上の光源１が配設されている。集光レンズ３の先端９（先端縁10）と、キャップ６の内面６ａとの間に、色温度調整用フィルター２が挾持状に介在している。具体的には、色温度フィルター２を装着（介在）させた状態で、がたつきの隙間を１mm以下に設定する。言い換えると、キャップ６の内面６ａと集光レンズ３の先端９（先端縁10）との間隙寸法から、フィルター２の厚さ寸法を引いた（差の）数値を、０mm以上１mm以下に設定する。光源１の発光ダイオードは発熱量がほとんどないので、フィルター２を上述のように光源１の近くに介在させることができる。
【００１２】
基盤４は例えば円形平板として、光源１の配線12、配線13がろう付け等で固着されている。そして、ネジ14等で本体５の浅い凹所15の底面部16のネジ孔18に基盤４が固着される。
集光レンズ３は、光源１に外嵌状に包囲して取付けられるが、具体的には、正面中心レンズ部３Ａと、傘型（キノコ型）周囲レンズ部３Ｂと、円筒基部３Ｃと、から成り、光源１を挿入する凹窪部（孔部）３Ｄを有する。
【００１３】
図５は、第１の実施の形態の他の使用状態を示す。この照明具Ｌは、壁面Ｗに取付けられる上下開口状の円筒カバーＥの断面コ字型の取付板Ｂの上下に、各１個ずつ固着されて使用される。
【００１４】
図６・図７は、第２の実施の形態を示す。この照明具Ｌは、天井Ｃから吊下具Ａを介して吊下げて使用される。照明具本体５に、放熱用アルミフィン７が固着されている。基盤４に熱が発生しても、放熱用アルミフィン７によって、速やかに放熱することができる。８はＡＣ／ＤＣコンバータを示す。ＡＣ／ＤＣコンバータ８は、例えば、 100Ｖや 200Ｖの交流電源Ｋから供給された交流電流を、12Ｖの直流電流に変換する。
【００１５】
図８は、第２の実施の形態の他の使用状態を示す。この照明具Ｌは、地面Ｇに立設された支柱Ｐの先端Ｐ1 に傾き角度切換自在に枢着Ｊされている。図６又は図７に於て、上記枢着Ｊのために、アルミフィン７の左右側面に小孔19を設けておく。
【００１６】
なお、本発明は、設計変更可能であって、例えば、色温度調整用フィルター２を２枚以上具備するも良い。また、目的・用途によっては、集光レンズ３に代えて、散光レンズを有するも良い。また、光源１の数は増減自在であって、例えば、４個や５個以上とするも良い。また、照明具本体５とキャップ６を閉じた状態に於て、照明具本体５とキャップ６の外形形状を直方体とするも良い。また、放熱用アルミフィン７を照明具本体５と一体に形成するも良い。また、集光レンズ３の先端９が面状であって、この先端面とキャップ６の内面６ａとの間に、色温度調整用フィルター２を挾持状に介在させるも良い。また、地中に埋込状として使用するも良い。
【００１７】
以上のように、本発明は、光源１が発光ダイオードから成る照明具であって、色温度調整用フィルター２を具備するので、ほとんど発熱せず、簡単な構成にて色温度を容易に調整することができる。すなわち、全体の構成を簡素化することができる。また、人が直接触れて火傷するのを防止するための（通常の電球に必要な）カバーを省略して使用することができる。また、紫外線が発生しない。また、ショーケース内で使用することができる。また、メンテナンスフリー（耐用時間は約 50000時間）である。
また、色温度調整用フィルター２が、フィルム状乃至平板状であるので、製造・交換等が容易である。
また、発光ダイオードから成る複数個の光源１と、各々の光源１を包囲する複数個の集光レンズ３を、一枚の基盤４に固着すると共に、基盤４を照明具本体５に取付け、さらに、照明具本体５に開閉自在として透明キャップ６を取付け、集光レンズ３の先端９と、キャップ６の内面６ａとの間に、色温度調整用フィルター２を挾持状に介在させたので、容易に製造することができる。また、フィルター２を交換自在である。また、フィルター２に多種多様な色彩のものを用いることにより、多種多様な色の光の照明を行なうことができる。また、フィルター２の枚数を増減させて、光の濃淡を調整することも可能である。また、紫外線が発生しない。また、ショーケース内で使用することができる。また、メンテナンスフリー（耐用時間は約 50000時間）である。
【００１８】
また、発光ダイオードから成る３個以上の光源１と、各々の光源１を包囲する３個以上の略椀型集光レンズ３を、一枚の基盤４に固着すると共に、基盤４を照明具本体５に取付け、さらに、照明具本体５に開閉自在として透明キャップ６を取付けた照明具であって、照明具本体５とキャップ６を閉じた状態に於て、照明具本体５とキャップ６の外形形状が円柱Ｍ状であって、円柱Ｍの軸心Ｙ方向から見て、円周Ｑ上に等分配に光源１を配設し、集光レンズ３の先端縁10と、キャップ６の内面６ａとの間に、色温度調整用フィルター２を挾持状に介在させたので、容易に製造することができる。また、フィルター２を交換自在である。また、フィルター２に多種多様な色彩のものを用いることにより、多種多様な色の光の照明を行なうことができる。また、フィルター２の枚数を増減させて、光の濃淡を調整することも可能である。また、紫外線が発生しない。また、ショーケース内で使用することができる。また、メンテナンスフリー（耐用時間は約 50000時間）である。さらに、フィルター２を安定した状態で保持（挾持）することができる。
また、照明具本体５とキャップ６を閉じた状態に於て、照明具本体５とキャップ６の外形形状が、直径Ｄ、高さＨの円柱Ｍ状であって、直径Ｄ及び高さＨを、（Ｄ× 0.3）≦Ｈ≦（Ｄ× 0.6）となるように設定したので、全体がコンパクトであって、容易に使用することができ、多種多様の照明の用途に適用できる。
【図面の簡単な説明】
【００１９】
【図１】本発明の第１の実施の形態の使用状態を示す断面側面図である。
【図２】分解斜視図である。
【図３】正面図である。
【図４】図３のＡ−Ｏ−Ａ断面図である。
【図５】他の使用状態を示す断面側面図である。
【図６】第２の実施の形態を示す側面図である。
【図７】説明用断面側面図である。
【図８】他の使用状態を示す斜視図である。
【符号の説明】
【００２０】
１  光源
２  （色温度調整用）フィルター
３  集光レンズ
４  基盤
５  照明具本体
６  （透明）キャップ
６ａ  内面
９  先端
10  先端縁
Ｄ  直径
Ｈ  高さ
Ｍ  円柱
Ｑ  円周
Ｙ  軸心
【図１】
2005268172.tif 000003
【図２】
2005268172.tif 000004
【図３】
2005268172.tif 000005
【図４】
2005268172.tif 000006
【図５】
2005268172.tif 000007
【図６】
2005268172.tif 000008
【図７】
2005268172.tif 000009
【図８】
2005268172.tif 000010